Podtech/llm-jp-corpus-v4-ja_patent huggingface dataset:
(57)【要約】      （修正有）【課題】シールドルームや防音室に車付台車で出入りする事ができるように、モーターによりスイング扉を数センチ持ち上げ、床との接触を回避することができるようにしたバリアフリー対応スイング扉付のシードルーム又は防音室を提供する。【解決手段】シールドルーム及び防音室の扉は一般には、敷居（沓づれ）がある。これを、車付き台車で出入りする事ができるように開閉時にドアの底辺にあるコンタクト接点が、床との摩擦によって磨耗摩擦が発生しないよう、電動でドアを開閉時に床部より数十ミリ上に上げることにより、コンタクト接点の磨耗・破壊を回避する構造とする。【選択図】図１
0003177167.tif 000002
【実用新案登録請求の範囲】
【請求項１】
当該ドアの開閉時の床部のコンタクト接点の磨耗を防ぐために、モーターの動力を用いてドアを数十ミリ持ち上げることにより、コンタクト接点の磨耗・破損を防いでいるものである。
【考案の詳細な説明】
【技術分野】
【０００１】  シールドルーム及び防音室の扉の底部がバリアフリータイプ。
【背景技術】
【０００２】  シールドルーム及び防音室の扉は一般には、敷居（沓づれ）があるので、車付き台車で出入りする事が不可能であった。当該事案は開閉時にドアの底辺にあるコンタクト接点が、床との摩擦によって磨耗摩擦が発生しないよう、電動でドアを開閉時に数十ミリ上に上げることにより、コンタクト接点の磨耗・破壊を回避するものとする。
【考案の概要】
【考案が解決しようとする課題】
【０００３】  電波及び音波を阻止するためのコンタクト接点の磨耗・破壊を回避する
【課題を解決するための手段】
【０００４】  電動でドアを開閉時に数十ミリ上げる
【考案の効果】
【０００５】  当該構造により、コンタクト接点の磨耗・破壊はもとより、高度な減衰特性、９ＫＨｚ〜２０ＧＨｚの間において、１００ｄＢ以上の減衰が確保できた。防音室においては５００Ｈｚにおいて４０ｄＢ以上の減衰が確保できた。
【図面の簡単な説明】
【０００６】
【図１】バリアフリー扉の設計図
【考案を実施するための形態】
【０００７】  スイング扉を床部より間隙を取るため、モーターとタイマースイッチにより数十ミリ持ち上げるものである。
【実施例】
【０００８】  シールドルームにおいて高度な減衰特性、９ＫＨｚ〜２０ＧＨｚの間において、１００ｄＢ以上の減衰が確保できた。防音室においては５００Ｈｚにおいて４０ｄＢ以上の減衰が確保できた。
【産業上の利用可能性】
【０００９】  この構造により、コンタクト接点の寿命を半永久とした高特性を維持できる。
【図１】
0003177167.tif 000003
【手続補正書】
【提出日】平成24年5月11日(2012.5.11)
【手続補正１】
【補正対象書類名】実用新案登録請求の範囲
【補正対象項目名】全文
【補正方法】変更
【補正の内容】
【実用新案登録請求の範囲】
【請求項１】
底辺にコンタクト接点を有するドアを備えたシールドルーム又は防音室であって、当該ドアがモーターによって開閉時に床部より数十ミリ持ち上げられたことを特徴とするシールドルーム又は防音室。
(57)【要約】      （修正有）【課題】携帯端末本体背面又はカバー背面に、携帯端末を安全でスムーズに操作できる保持具を設け、端末の操作性の改善をする携帯端末保持具を提供する。【解決手段】携帯端末本体背面又はカバー背面１に携帯端末を保持する為の回転軸受け座２と指入れ３を設け、携帯端末を保持できるようにした。回転軸受け座２に取り付けられた指入れ３は、回転軸４を中心に携帯端末を回転する事により、携帯端末を回転させる動作及び、その際に指が届きにくい横長になった操作画面の端の入力操作等に対して、両手を使わず片手で安全でスムーズな操作を可能にする。【選択図】図１
0003177161.tif 000002
【実用新案登録請求の範囲】
【請求項１】
携帯端末本体背面又はカバー背面に指入れの付いた携帯端末保持具を設け、この保持具に付いている指入れ（指を保持されやすい形状や滑り止め付、指の形にあわせた形状など）の保持具の回転軸を中心に携帯端末本体を回転操作出来る携帯端末保持具。
【考案の詳細な説明】
【技術分野】
【０００１】  本考案は、携帯端末に回転式保持具を設け、携帯端末の操作性の改善をするものである。
【背景技術】
【０００２】  携帯端末を操作する場合、携帯端末を保持していない反対側の手で操作したり、携帯端末機を保持している手の親指などを使い入力操作していた。
【考案の概要】
【考案が解決しようとする課題】
【０００３】  携帯端末を操作する際、操作画面が大きい物も多く、片手では画面隅などの操作がしづらい。又、画面操作の縦横が頻繁に替わる為、片手での操作は携帯端末本体が落下する可能性が高く、破損した場合は携帯端末本体が高額な為、金銭的負担も大きい。しかもこれらの操作は頻繁な操作である為、両手での操作も肉体的負担が大きい。携帯端末の回転式保持具を装着することにより、携帯端末の片手での操作及び本体の回転を、安全かつスムーズにする事が可能になり、前述の点を改善しようとするものである。
【課題を解決するための手段】
【０００４】  本考案は、携帯端末本体の背面又はカバー背面に携帯端末を保持する為の保持具を設け、保持具に取り付けられた指入れが、保持具の回転軸を中心に回転する事で、携帯端末本体を回転保持する。これにより片手での携帯端末の入力操作の問題を解決している。
【考案の効果】
【０００５】  上述の様に携帯端末回転式保持具は、両手を使わずに片手での安全かつスムーズな入力操作を可能にした。回転機構を設けたので携帯端末本体の回転操作時の操作性・安全性も改善した。
【図面の簡単な説明】
【０００６】
【図１】本考案の携帯端末回転式保持具の全体図の側面を示した断面図である。（指入れを携帯端末本体背面又はカバー背面に対し垂直にした使用状態）
【図２】本考案の携帯端末回転式保持具の全体図の表面を示した平面図である。（指入れを携帯端末本体背面又はカバー背面に対し平行にした収納状態）
【考案を実施するための形態】
【０００７】回転保持具を携帯端末本体背面又はカバー背面に固定し、携帯端末を保持する側の指をその保持具の指入れ部に挿入する。携帯端末を回転して操作したい場合、指を指入れに挿入したまま回転軸を中心に保持している手の指などで回転したい方向に携帯端末を回転させる。
【実施例】
【０００８】以下、添付図に従って一実施例を説明する。携帯端末本体背面又はカバー背面１に対し平行にされている（収納状態）指入れ３を、回転軸５を中心に回転して垂直にする。そこに指を挿入し携帯端末を保持する。その状態で回転軸４を中心に、携帯端末本体背面又はカバー背面１＋回転軸受け座２を、端末を保持している側の手の指等で回転する。回転後その状態のまま携帯端末を保持し、入力等の操作をする。【０００９】携帯端末本体背面又はカバー背面１に対し垂直にした指入れ３に指を挿入しながら携帯端末本体の操作をし、タッチパネル画面の指のとどきにくい端部分を操作する。
【符号の説明】
【００１０】１  携帯端末本体背面又はカバー背面１
２  回転軸受け座２
３  指入れ３
４  回転軸４
５  回転軸５
0003177161.tif 000003
【手続補正書】
【提出日】平成24年2月19日(2012.2.19)
【手続補正１】
【補正対象書類名】実用新案登録請求の範囲
【補正対象項目名】全文
【補正方法】変更
【補正の内容】
【実用新案登録請求の範囲】
【請求項１】
指を入れるまたは指を掛けるなどの状態を保持する保持部と、
携帯端末本体又はカバーに固定され、前記保持部を任意な角度に回転可能な機構を有する本体部を備え、
前記本体部は前記保持部を収納することが可能な機構を有し、
携帯端末を手で保持する時に、前記本体部に収納されている前記保持具を利用して保持しながら、
前記本体部を軸にして携帯端末を任意の角度に回転操作できることを特徴とする収納機構付き回転式保持補助装置。
【手続補正２】
【補正対象書類名】明細書
【補正対象項目名】０００６
【補正方法】変更
【補正の内容】
【０００６】
【図１】本考案の携帯端末回転機構付保持補助装置の全体を示した図面である。
【手続補正３】
【補正対象書類名】図面
【補正対象項目名】全図
【補正方法】変更
【補正の内容】
【図１】
0003177161.tif 000004
【手続補正書】
【提出日】平成24年5月1日(2012.5.1)
【手続補正１】
【補正対象書類名】実用新案登録請求の範囲
【補正対象項目名】全文
【補正方法】変更
【補正の内容】
【実用新案登録請求の範囲】
【請求項１】
携帯端末背面又は携帯端末カバー背面に設けられ、前期背面に直交する第１の回転軸を中心に回転可能な回転軸受け座と、該回転軸受け座に取り付けられ、第１の回転軸と直交する第２の回転軸を中心に回転可能な指入れからなり、使用時に指入れを前記背面に平行な状態から垂直な状態として使用することを特徴とする携帯端末保持具。
【手続補正２】
【補正対象書類名】明細書
【補正対象項目名】０００６
【補正方法】変更
【補正の内容】
【０００６】
【図１】本考案の携帯端末回転式保持具の全体の側面図である。（指入れを携帯端末本体背面又はカバー背面に対し垂直にした使用状態）
【図２】本考案の携帯端末回転式保持具全体の平面図である。（指入れを携帯端末本体背面又はカバー背面に対し平行にした収納状態）
【手続補正３】
【補正対象書類名】図面
【補正対象項目名】全図
【補正方法】変更
【補正の内容】
【図１】
0003177161.tif 000005
【図２】
0003177161.tif 000006
(57)【要約】      （修正有）【課題】ＣＤジャケットをケースそのままの形で壁や空間に飾るための取付具を提供する。【解決手段】ＣＤジャケットディスプレイ用の取付具３は、繊維素材、樹脂素材、金属素材から選ばれるひも状のものであり、ひもの両端をプラスチックＣＤケース上部の２か所の穴２ａ、２ｂに差し込んで、壁面や空間にディスプレイできるようにする。上記の穴は、プラスチックＣＤケースにリーフレットを収めるための突起に付随した穴２ａ、２ｂである。ここに吊り具を取り付けることで、簡便に壁面や空間にディスプレイすることができる。【選択図】図１
0003177164.tif 000002
【実用新案登録請求の範囲】
【請求項１】
プラスチックＣＤケースの上部の2か所の穴に差し込んで装着し、壁面などに吊り下げるＣＤジャケットディスプレイ用の取り付け具。
【請求項２】
吊り下げるための部品を付けたＣＤケース。
【考案の詳細な説明】
【技術分野】
【０００１】
本考案は、ＣＤジャケットをケースそのままの形で壁や空間に飾るための取付具に関するものである。
【背景技術】
【０００２】
ＣＤジャケットは方形上の透明なプラスチック製のケースに収納されて市販されているが、ＣＤの中身もさることながらジャケットのデザインも嗜好の対象となり、室内のインテリアとして飾りたい希望がある。そのためのスタンドや額縁があるが、壁掛けインテリアにするための簡便な方法が求められる。
【考案の概要】
【考案が解決しようとする課題】
【０００３】
ＣＤジャケットをケースのまま飾る方法としては、専用のスタンドに置く方法がある。
この方法は置く場所が必要となる。また壁付のためのＣＤケース専用の額縁もあるが、費用が高い上、額縁に入れてしまうとＣＤを取り出すのに手間がかかる。
【課題を解決するための手段】
【０００４】
一般に広く使われるプラスチックＣＤケースにはリーフレットを収めるための突起に付随した2つの穴があるが、ここに吊り具を取り付けることで、簡便に壁面や空間にディスプレイすることができる。
【考案の効果】
【０００５】
本考案は、ＣＤジャケットのプラスチックケースそのものに容易に装着することができる。ケースを吊り下げられるため、置き場所もいらず、ＣＤジャケットを手軽に装飾品として楽しむことができる。ケースの形状に加工を施すことなく、別の容器に格納するわけでもないので、取付具を装着しても従来のＣＤケースの機能には何ら支障がない。またこの取付具は廉価に製造できる。
【図面の簡単な説明】
【０００６】
【図１】ＣＤケースの上部にあるリーフレットを収める突起に付随した2つの穴（2a, 2b）
【図２】本考案の一実施例を示す取付具(3)を装着したＣＤケースの図
【産業上の利用可能性】
【０００７】
１．CDケースに容易に着脱できる取付具として商品化する。吊り具に使用する材料は、繊維素材、樹脂素材、金属素材など幅広く、加工しやすいものを選んで廉価に製造できる。
２．ＣＤケースに最初からから吊り具を付けた状態で商品化する。
【符号の説明】
【０００８】
2a：CDケース上部の穴
2b：CDケース上部の穴
3：CDケースに装着した吊り具
【図１】
0003177164.tif 000003
【図２】
0003177164.tif 000004
【手続補正書】
【提出日】平成24年3月21日(2012.3.21)
【手続補正１】
【補正対象書類名】実用新案登録請求の範囲
【補正対象項目名】全文
【補正方法】変更
【補正の内容】
【実用新案登録請求の範囲】
【請求項１】
プラスチックCDケースの上部の2か所の穴に差し込んで装着
し、壁面などに吊り下げるCDジャケットディスプレイ用の取り付け具。
【請求項２】
請求項１に記載の取り付け具を付けたCDケース。
【手続補正書】
【提出日】平成24年5月30日(2012.5.30)
【手続補正１】
【補正対象書類名】実用新案登録請求の範囲
【補正対象項目名】全文
【補正方法】変更
【補正の内容】
【実用新案登録請求の範囲】
【請求項１】
CDジャケットディスプレイ用の取付具であって、繊維素材、樹脂素材、金属素材から選ばれるひも状のものであり、ひもの両端をプラスチックCDケース上部の2か所の穴に差し込んで、壁面や空間にディスプレイできるようにすることを特徴とする取付具。
【請求項２】
請求項１に記載の取り付け具を付けたCDケース。
(57)【要約】      （修正有）【課題】炉心溶融事故時の水素爆発を防止するため、容器内への効率良い窒素ガスの封入が出来るＢＷＲ原子炉建屋及びＰＷＲ格納容器を提供する。【解決手段】短時間で建屋１及び容器２の内部自由空間に窒素ガスを封入し、炉心溶融事故時の水素爆発を防止するように、内部にしきり板や風船１４や蛇腹構造体を用いた仮設の密室を原子炉運転中に設け、自由空間の体積を小さくするとともに、窒素ガスの流路断面積を小さくすることを可能とした。【選択図】図７
0003177169.tif 000002
【実用新案登録請求の範囲】
【請求項１】
短時間で建屋及び容器の内部自由空間に窒素ガスを封入し、炉心溶融事故時の水素爆発を防止するように、内部にしきり板や風船や蛇腹構造体を用いた仮設の密室を原子炉運転中に設け、自由空間の体積を小さくするとともに、窒素ガスの流路断面積を小さくすることを可能とした仮設密室付ＢＷＲ原子炉建屋及びＰＷＲ格納容器。
【考案の詳細な説明】
【技術分野】
【０００１】  本考案は、原子炉炉心溶融事故時の水素爆発を防止する機能を有する仮設密室付ＢＷＲ原子炉建屋及びＰＷＲ格納容器に関するものである。
【背景技術】
【０００２】  ＢＷＲでは原子炉と格納容器は気密性の高い原子炉建屋内に設置されており、格納容器を貫通する各種ケーブルに沿って漏えいする極微量の放射性物質は、外部に放出されることはない。【０００３】  ＢＷＲではしかし福島第一原発の炉心溶融事故時、発生した水素ガスが原子炉建屋内の空気中で水素爆発を起こし建屋を破壊したため、大量の放射性物質が外部に放出された。
もしＰＷＲでも同様な事故が発生したとした場合、格納容器が破壊され、大量の放射性物質が外部に放出される可能性がある。【０００４】  福島第一原発事故では、事故発生時刻から水素爆発時刻までには、１日以上の時間余裕があった。よってＢＷＲ原子炉建屋内を、事故発生ご数時間内に窒素ガスのような不活性ガス雰囲気にすれば、水素爆発の防止が出来る。しかし、原子炉建屋が約１０５ｍ３と大きいので、多量の窒素ガスが必要となり、その準備と取扱いが大変である。
ＰＷＲの場合でも格納容器容積は約７×１０４ｍ３と大きく、同様に大変である。【０００５】  図１の１のＢＷＲ原子炉建屋、図２の２のＰＷＲ格納容器内の自由空間を小さくすれば、もしもの事故発生時にこの小さくなった自由空間を２〜３時間で窒素雰囲気にすることが可能となる。【０００６】  仮設密室の設置方法は、図３、図４に示すようなしきり板を複数個取り付けるとか、大部屋には図５、図６に示すような風船や蛇腹構造体を設置することである。図７はＢＷＲ原子炉建屋内に部分的に仮設密室を設置した図である。【０００７】  仮設密室は、原子炉運転開始前に設置し、運転終了後定期検査前に取り外されるものとする。
【考案の概要】
【考案が解決しようとする課題】
【０００８】  炉心溶融事故時に発生する可能性のある水素爆発を防止するため、効率良くＢＷＲ原子炉建屋及びＰＷＲ格納容器内自由空間に空気に換えて窒素ガスを封入することである。
【課題を解決するための手段】
【０００９】  本考案はＢＷＲ原子炉建屋及びＰＷＲ格納容器内自由空間の体積を、例えば１０〜３０％と小さくするので、短時間で窒素ガスを自由空間内に封入することができる。【００１０】  小さい自由空間の場合窒素ガスの流れる流路断面積が小さいので、元の空気と混合することが少なく、効率良く空気が窒素ガスに置換できる。図８は大断面積の空間に窒素ガスを流入させた図である。図９は小大断面積の空間に窒素ガスを流入させた図である。図９の方が上記効率は良い。
【考案の効果】
【００１１】  本考案により、炉心溶融事故時でも水素爆発は起こらず、建物の破壊がなく無く、外部への大量放射性物質が無くなるので、原子炉安全性が著しく向上する。
【図面の簡単な説明】
【００１２】
【図１】    ＢＷＲの建物断面図である。
【図２】    ＰＷＲの建物断面図である。
【図３】    通路でのしきり板の設置横断面図である。
【図４】    通路でのしきり板の設置縦断面図である。
【図５】    風船を膨らませた状態の図である。
【図６】    蛇腹構造物を膨らませた状態の図である。
【図７】    一部に仮設密室を設けたＢＷＲの建物断面図である。
【図８】    大断面積空間への窒素ガス流入状態である。流入した窒素ガスは内部で渦を巻き元あった空気と混合するので流出ガスは空気と窒素の混合ガスとなる。
【図９】    多数の細管を用いて小断面積とした空間への窒素ガス流入状態である。渦は発生せず、流出ガスはほとんど空気のみとなる。
【考案を実施するための形態】
【００１３】    ＢＷＲ原子炉建屋及びＰＷＲ格納容器内自由空間の体積を小さくしようという目的を、図３と図４と図５のしきり板と風船と蛇腹構造物で実現可能とした。残された自由空間は、仮設密室間の狭い空間のみになっている。
【産業上の利用可能性】
【００１４】    巨大地震等で原子炉が故障し炉心溶融が開始したときに、あらかじめ自由空間を運転開始前に小さくしたＢＷＲ原子炉建屋及びＰＷＲ格納容器内に、窒素ガスを図１あるいは図７および図２の７を通して通路の自由空間部分に流入させ、元あった空気を８を通して流出させ、短時間で空気雰囲気を窒素ガス雰囲気にする。こうすれば、溶融炉心から発生した水素ガスによる水素爆発は防止される。
【符号の説明】
【００１５】図１
１  ＢＷＲ原子炉建屋
２  ＰＷＲ格納容器
３  原子炉容器
４  クレーン
５  通路
６  上部大部屋
７  配管（バルブ付）
８  配管（バルブ付）
９  水
図２
１から８は図１に同じ。
図３
１０  通路壁
１１  取り付け金具
１２  しきり板
１３  電気ケーブル
図４
１０〜１３は図３に同じ。
図５
１４  風船本体
１５  空気吹き入れ口
図６
１５は図５に同じ。
１６  蛇腹本体
図７
１〜９は図１に同じ。
１１，１２は図３に同じ。
図８
７，８は図１に同じ。
１７  流入流れ
１８  渦
１９  流出流れ
図９
７，８は図１に同じ。
１７，１８は図８に同じ。
２０  細管
【図１】
0003177169.tif 000003
【図２】
0003177169.tif 000004
【図３】
0003177169.tif 000005
【図４】
0003177169.tif 000006
【図５】
0003177169.tif 000007
【図６】
0003177169.tif 000008
【図７】
0003177169.tif 000009
【図８】
0003177169.tif 000010
【図９】
0003177169.tif 000011
【手続補正書】
【提出日】平成24年5月1日(2012.5.1)
【手続補正１】
【補正対象書類名】実用新案登録請求の範囲
【補正対象項目名】請求項１
【補正方法】変更
【補正の内容】
【請求項１】
短時間で建屋又は容器の内部自由空間に窒素ガスを封入し、炉心溶融事故時の水素爆発を防止するように、内部にしきり板や風船や蛇腹構造体を用いた仮設の密室を原子炉運転中に設け、自由空間の体積を小さくするとともに、窒素ガスの流路断面積を小さくすることを可能とした仮設密室付ＢＷＲ原子炉建屋又はＰＷＲ格納容器。
(57)【要約】      （修正有）【課題】ネクタイを取り付け取り外しの際に滑脱や連れ落ちがないようにし、少ないスペースで数多くのネクタイを掛けられるようにするネクタイハンガーを提供する。【解決手段】数段重ねた木等の角柱体１をスライドさせて鋏む為独立して取り付け箇所を広げて着脱ができ、また楽に掛け外しが出来、かつネクタイの滑脱や引き落としをなくすことができるように、上記の角柱体１を長方形断面の細い金属又は樹脂２により串刺しにしてスライドさせてネクタイ４を挟めるようにする。さらに、上記形態のハンガーはフック３をつなぎ部分６で向きを変えられ、それぞれクローゼットのハンガーバーや壁等に取り付けられた突起物等に引っ掛けて使用する。【選択図】図１
0003177177.tif 000002
【実用新案登録請求の範囲】
【請求項１】
数段重ねた木等の角柱体を長方形断面の細い金属又は樹脂により串刺しにし、挟む所をスライドさせて広げることにより滑脱や連れ落ちせずに独立して楽に取り外しが出来る様にしたハンガー。
【請求項２】
上記構成により狭い範囲で縦に数多くかけられるようにしたハンガー。
【考案の詳細な説明】
【技術分野】
【０００１】  本考案は滑脱や連れ落ちが無く楽に数多く掛けられる様にする為のネクタイハンガーに関する。
【背景技術】
【０００２】  従来のネクタイハンガーは素材を滑り難くした素材や数本並べた釘にネクタイを掛けている、又縦に並列に固定したばね等により挟み掛け外しの際は横にして行うものがある。
【先行技術文献】
【特許文献】
【０００３】
【特許文献１】  特開２０００−０３７２７８
【特許文献２】  特開２００７−１８５４５８
【考案の概要】
【考案が解決しようとする課題】
【０００４】  しかしながら、従来のネクタイハンガーは何れも隣り合わせたネクタイの連れ落ちがあり、水平方向に並べて掛ける為ハンガーの幅で数量が限られている物も多かった。又掛ける所が固定しており他のネクタイが邪魔をして掛け難く、縦に並列に掛ける物では横にする手間が課かつた。
【考案を解決するための手段】
【０００５】  本考案は数段重ねた木等の角柱体を長方形断面の細い金属又は樹脂により串刺しにしてスライドさせてネクタイを挟めるようにする事により上記課題を解決する。
【考案の効果】
【０００６】（１）数段重ねた木等の角柱体をスライドさせて鋏む為独立して取り付け箇所を広げて着脱ができるので楽に掛け外しが出来ネクタイの滑脱や引き落としが無い。
【０００７】（２）縦にネクタイを掛けられるため少ないスペースで多量のネクタイをかけることができる。
【図面の簡単な説明】
【０００８】
【図１】ネクタイとネクタイ賭けの正面図である。
【図２】ネクタイとネクタイ掛けの側面図である。
【図３】ネクタイ賭けの平面図である
【図４】図１のＡ−Ａ横断面図である。
【図５】ネクタイとネクタイ賭けの底面図である。
【図６】図４のＢ−Ｂ線断面図である。
【図７】図４のＣ−Ｃ線断面図である。
【図８】ネクタイとネクタイ賭けの斜視図である。
【図９】フックの連結部分で向きを変えた時の正面図である。
【図１０】図９の右側面図である。
【考案を実施するための形態】
【０００９】  本考案のネクタイハンガーは図１に示されるように断面が長方形の金属又は樹脂２により貫通された数段重ねた木等の角柱体をスライドさせて数本のネクタイを挟む。
【実施例】
【００１０】  上記形態のハンガーはフック３を６の部分で向きを変えられそれぞれクローゼットのハンガーバーや壁等に取り付けられた突起物等に引っ掛けて使用する。
【符号の説明】
【００１１】  １  ネクタイを挟む木等の角柱体
２  棒を串刺しにする断面が長方形の金属又は樹脂
３  ２のフック部分
４  ネクタイ
５  １の滑り止めの為に２に取り付けた留め金部分
６  フックの向きを変える３と２のつなぎ部分
【図１】
0003177177.tif 000003
【図２】
0003177177.tif 000004
【図３】
0003177177.tif 000005
【図４】
0003177177.tif 000006
【図５】
0003177177.tif 000007
【図６】
0003177177.tif 000008
【図７】
0003177177.tif 000009
【図８】
0003177177.tif 000010
【図９】
0003177177.tif 000011
【図１０】
0003177177.tif 000012
【手続補正書】
【提出日】平成24年5月14日(2012.5.14)
【手続補正２】
【補正対象書類名】実用新案登録請求の範囲
【補正対象項目名】全文
【補正方法】変更
【補正の内容】
【実用新案登録請求の範囲】
【請求項１】
長方形断面の細長い金属又は樹脂により串刺しにした木等の角柱体と角柱体をスライドさせてネクタイを挟み、挟む所を大きく拡げる事で掛け外しを容易にするネクタイハンガー。
【請求項２】
前記木等の角柱体は長方形断面の細長い金属又は樹脂を木等の角柱体の中央に串刺しにする事で木等の角柱体の両サイドにネクタイを掛けることを特徴とする［請求項１］に記載のネクタイハンガー。
【請求項３】
前記記載の長方形断面の細長い金属又は樹脂で串刺しにされた木等の角柱体を複数設ける事で複数のネクタイを掛ける事を特徴とする［請求項１］または［請求２］に記載のネクタイハンガー。
(57)【要約】      （修正有）【課題】持ち易い遊戯用ブロックを提供する。【解決手段】遊戯用ブロックは、各辺の長さが等しい立方体形状の把持部１０１と、把持部１０１の上部に設けられた円柱上の突起部１０２を有する。突起部１０２の略中央部には星型の開口部が設けられる。【選択図】図１
0003177180.tif 000002
【実用新案登録請求の範囲】
【請求項１】
把持部の各辺の長さが等しい立方体形状である遊戯用ブロック。
【考案の詳細な説明】
【技術分野】
【０００１】
本考案は、遊戯用ブロックに関するものである。
【背景技術】
【０００２】
従来の遊戯用ブロックは、把持部の各辺の長さが等しいものではなかった。
【考案の開示】
【考案が解決しようとする課題】
【０００３】
従来の遊戯用ブロックは、把持部の各辺の長さが等しいものではなかったため、持ちにくいものであった。
【課題を解決するための手段】
【０００４】
本考案の遊戯用ブロックは、把持部の各辺の長さが等しい立方体形状である。
【考案の効果】
【０００５】
本考案によって、持ち易い遊戯用ブロックを得ることができる。
【考案を実施するための最良の形態】
【０００６】
本実施の形態の遊戯用ブロックについて、図１〜図８を用いて説明する。図１は、遊戯用ブロック１０１を正面から見た図であり、図２は、遊戯用ブロック１０１を背面から見た図であり、図３は、遊戯用ブロックを右側面から見た図であり、図４は、遊戯用ブロック１０１を左側面から見た図であり、図５は、遊戯用ブロック１０１を平面（上面）から見た図であり、図６は、遊戯用ブロック１０１を底面（下面）から見た図であり、図７、８は、遊戯用ブロック１０１を斜めから見た図である。
【０００７】
図１〜図８に示すように、本実施の形態の遊戯用ブロック１０１は、把持部の各辺の長さが等しい立方体形状であり、上面に円柱状の突起部１０２が設けられ、突起部１０２の内側に開口部１０３が設けられている。
【図面の簡単な説明】
【０００８】
【図１】本考案の遊戯用ブロックの正面を説明するための図。
【図２】本考案の遊戯用ブロックの背面を説明するための図。
【図３】本考案の遊戯用ブロックの右側面を説明するための図。
【図４】本考案の遊戯用ブロックの左側面を説明するための図。
【図５】本考案の遊戯用ブロックの平面を説明するための図。
【図６】本考案の遊戯用ブロックの底面を説明するための図。
【図７】本考案の遊戯用ブロックの斜視図を説明するための図。
【図８】本考案の遊戯用ブロックの斜視図を説明するための図。
【符号の説明】
【０００９】
１０１    遊戯用ブロック
１０２    突起部
１０３    開口部
【図１】
0003177180.tif 000003
【図２】
0003177180.tif 000004
【図３】
0003177180.tif 000005
【図４】
0003177180.tif 000006
【図５】
0003177180.tif 000007
【図６】
0003177180.tif 000008
【図７】
0003177180.tif 000009
【図８】
0003177180.tif 000010
【手続補正書】
【提出日】平成24年5月29日(2012.5.29)
【手続補正１】
【補正対象書類名】実用新案登録請求の範囲
【補正対象項目名】全文
【補正方法】変更
【補正の内容】
【実用新案登録請求の範囲】
【請求項１】
各辺の長さが等しい立方体形状である把持部と、
前記把持部の上面に設けられた複数の円柱状の突起部と、を有し、
前記把持部の上面の前記円柱状の突起部の略中央部に開口部が設けられた遊戯用ブロック。
【請求項２】
請求項１において、
前記開口部は、星型である遊戯用ブロック。
【手続補正２】
【補正対象書類名】明細書
【補正対象項目名】０００４
【補正方法】変更
【補正の内容】
【０００４】
本考案の遊戯用ブロックは、各辺の長さが等しい立方体形状である把持部と、把持部の上面に設けられた複数の円柱状の突起部と、を有し、把持部の上面の円柱状の突起部の略中央部に開口部が設けられている。また、本考案の遊戯用ブロックにおいて、開口部は、星型であることが好ましい。
【手続補正３】
【補正対象書類名】明細書
【補正対象項目名】０００６
【補正方法】変更
【補正の内容】
【０００６】
本実施の形態の遊戯用ブロックについて、図１〜図８を用いて説明する。図１は、遊戯用ブロックを正面から見た図であり、図２は、遊戯用ブロックを背面から見た図であり、図３は、遊戯用ブロックを右側面から見た図であり、図４は、遊戯用ブロックを左側面から見た図であり、図５は、遊戯用ブロックを平面（上面）から見た図であり、図６は、遊戯用ブロックを底面（下面）から見た図であり、図７、８は、遊戯用ブロックを斜めから見た図である。
【手続補正４】
【補正対象書類名】明細書
【補正対象項目名】０００７
【補正方法】変更
【補正の内容】
【０００７】
図１〜図８に示すように、本実施の形態の遊戯用ブロックは、各辺の長さが等しい立方体形状の把持部１０１を有し、把持部１０１の上面に複数の円柱状の突起部１０２が設けられ、突起部１０２の内側の略中央部に星型の開口部１０３が設けられている。本実施の形態の遊戯用ブロックは、把持部が立方体形状であるため、持ち易くなっている。
【手続補正５】
【補正対象書類名】明細書
【補正対象項目名】０００９
【補正方法】変更
【補正の内容】
【０００９】
１０１    把持部
１０２    突起部
１０３    開口部
(57)【要約】      （修正有）【課題】ＪＩＳ規格のデジタルノギスに取り付け加工する一般機械用めねじの有効径の測定に使用するアッタッチメント治具を提供する。【解決手段】デジタルノギス１２の外側用ジョウ１３、１４に、特殊鋼を用いて加工した山形歯部３、４を設けたアタッチメント１、２をＭ４ボルト１７、１８、１９、２０で固定する。【選択図】図１
0003177173.tif 000002
【実用新案登録請求の範囲】
【請求項１】
特殊鋼を用いて一部異なる形状の部品２個を作成し左用アタッチメント（１）と右用アタッチメント（２）とし、左用アタッチメント（１）と右用アタッチメント（２）にメートルネジのおねじの各要部をＪＴＳに基づく基本山形及び基本寸法の山形歯部を設けて、デジタルノギスの外側用ジョウ（１３）に左用アタッチメント（１）を外側用ジョウ（１４）に右側アタッチメント（２）をＭ４ボルト（１７）（１８）と（１９）（２０）で固定し加工する一般機械用めねじの有効径を測定するアタッチメント治具である。
【考案の詳細な説明】
【技術分野】
【０００１】本考案はデジタルノギスに作成したアタッチメント治具を取付けて加工する一般機械用めねじの有効径を測定します。
【背景技術】
【０００２】従来より、めねじの有効径の測定は一般に市販されているおねじ品か、高精度の限界プラグゲージなどを使用していた。
【考案の開示】
【考案が解決しようとする課題】
【０００３】これには次のような欠点があった。
（イ）有効径を測定しようとする場合一般的に数値の答えを求めるのが出来ない為、ＪＩＳ規格のボールトネジ品を模範として使用していることがある。
（ロ）球形測片を持つマイクロメーターやネジプラグゲージは高価であり被測定めねじの内径が大きい場合は不向きです。
（ハ）各種限界ゲージを揃えるには高価で被加工物の寸法が異なると経済的に疑問である。
【課題を解決するための手段】
【０００４】本考案は加工する同一称呼寸法の一般機械用めねじの有効測定とし、デジタルノギスで測定する為に特殊鋼で一部異なる形状の部品を２個作成し、左用アタッチメント（１）と右用アタッチメント（２）とし、それぞれに突起部（５）と（６）を設けて溝に噛み合わせる事により左用アタッチメント歯型部（３）と右用アタッチメントの歯型部（４）が正確な位置で固定し、正確な測定が出来き、アタッチメント治具としてピッチ寸法と補正寸法をアタッチメント治具に彫刻してあり安心して使用できます。
【考案の効果】
【０００５】上述の称に、本考案は規格のボルト品や限界ネジゲージを用いて有効径測定する方法により測定が簡単であり、又球形測片めねじ用マイクロメーターは内径が小さい場合に適するが大きい場合は測定が不向きである。本考案は測定可能であり規格に基づき寸法をデジタルノギスで設定するので、ねじ限界ゲージを揃えるよりも安価であり作業も簡単である。
【考案の実施するための最良の形態】
【０００６】市販の０セットができるデジタルノギス（１２）の外径用ジョウ（１３）に左用アタッチメント（１）のアタッチメントを、又、外測用ジョウ（１４）に右用アタッチメント（２）のアタッチメントを取り付けて突起部の溝（５）と（６）を正確に合せ、それぞれＭ４ボルト（１７）（１８）と（１９）（２０）で固定し加工する同一称呼寸法の一般機械用めねじ（２１）の有効径を測定し最小内径寸法は１０ミリから測定可能であり被加工めねじの測定及び検査する事が出来るアタッチメント治具である。
【実施例】
【０００７】以下本考案を添付図に従って一実施例（Ｍ＝６４、Ｐ＝４）に就いて説明する。【０００８】図３は以下の手順を示す図でデジタルノギス（１２）の外測用ジョウ（１３）に左用アタッチメント（１）外側用ジョウ（１４）に右用アタッチメント（２）を取付け突起部の溝により正確に合わせて、それぞれＭ４ボルト（１７）（１８）と（１９）（２０）で締め付け後デジタルノギス（１２）のリセットボタン（１６）を押して液晶表示部（１５）のカウンター数値を０にする。【０００９】図４は実際にＭ６４、Ｐ＝４の場合のめねじの有効径は６１．４ミリ（ＪＩＳ規格Ｂ０２０７）に記載されている有効径表による内径測定の為１８．６ミリの保持寸法分が必要であり、有効径６１．４−１８．６＝４２．８ミリが求める数値になる。【００１０】図５は測定した数値を確認する為にデジタルノギスの液晶表示部のカウンター数値が測定前の状態に戻して０セットになっている事が必要である。
【図面の簡単な説明】
【００１１】
【図１】本考案の要部を示す斜視図である。
【図２】本考案の使用状態を示す説明図である。
【図３】本考案の手順を示す図である。
【図４】本考案の有効径の測定図である。
【図５】本考案の測定数値確認を示す図である。
【符号の説明】
【００１２】１．左用アタッチメント
２．右用アタッチメント
３．左用アタッチメントの山形歯部
４．右側アタッチメントの山形歯部
５．左側アタッチメントの位置決め溝部
６．右側アタッチメントの位置決め溝部
７．両アタッチメント部のピッチ表示
８．Ｍ４タップ穴
９．Ｍ４タップ穴
１０．Ｍ４タップ穴
１１．Ｍ４タップ穴
１２．デジタルノギス
１３．外径用ジョウ（左）
１４．外径用ジョウ（右）
１５．液晶表示部
１６．リセットボタン
１７．Ｍ４ボルト
１８．Ｍ４ボルト
１９．Ｍ４ボルト
２０．Ｍ４ボルト
２１．被加工物
【図１】
0003177173.tif 000003
【図２】
0003177173.tif 000004
【図３】
0003177173.tif 000005
【図４】
0003177173.tif 000006
【図５】
0003177173.tif 000007
【手続補正書】
【提出日】平成24年5月1日(2012.5.1)
【手続補正１】
【補正対象書類名】実用新案登録請求の範囲
【補正対象項目名】全文
【補正方法】変更
【補正の内容】
【実用新案登録請求の範囲】
【請求項１】
特殊鋼を用いて一部異なる形状の部品２個を作成し左用アタッチメント（１）と右用アタッチメント（２）とし、左用アタッチメント（１）と右用アタッチメント（２）にメートルネジの、おねじの各要部をＪＩＳに基づく基本山形及び基本寸法の山形歯部を設けて、デジタルノギスの外側用ジョウ（１３）に左用アタッチメント（１）を、外側用ジョウ（１４）に右側アタッチメント（２）をＭ４ボルト（１７）（１８）とＭ４ボルト（１９）（２０）で固定する。一般機械用めねじの有効径を測定するアタッチメント治具。
(57)【要約】      （修正有）【課題】キャップを回して開けるとき、キャップの上部と下部が分離されることがないキャップを提供する。【解決手段】キャップの側面途中に，螺旋状に切れ目２を入れ開ける為，回す力で切れ目が切れると螺旋部が紐状３になり上部と下部が繋がった状態となり、キャップ上部を持つか置く必要がなくなる。【選択図】図２
0003177178.tif 000002
【実用新案登録請求の範囲】
【請求項１】
切り目の線をキャップの途中に螺旋状に入れると，キャップを回す力で切り目の線が切れ紐状に螺旋部分が残る。それにより上部と下部が繋がった状態になる。
【考案の詳細な説明】
【技術分野】
【０００１】  本考案は，上部と下部が繋がれたキャップに関する。
【背景技術】
【０００２】  従来のキャップは，キャップに沿って直線状に切れ目が入ってある為，キャップを回して開けることで，切れ目が切れ上部と下部が離れていた。
【考案の開示】
【考案が解決しようとする課題】
【０００３】これでは，キャップを開けると，下部と上部が離れキャップを持つか置く必要がある。
【課題と解決するための手段】
【０００４】  そこで，キャップの側面途中に，螺旋状に切れ目を入れ開ける為，回す力で切れ目が切れる。螺旋部が紐状になり上部と下部に繋がったままである。
【考案の効果】
【０００５】  本考案のキャップは，螺旋部分が繋がっているので上部キャップを離しても下部と離れることはない。
【考案を実施するための最良の形態】
【０００６】  現在使用されているキャップは，図１に示すようにキャップに沿って直線状に切れ目が入っている為，回す事で切れ目が切れ上部と下部が離れていた。
本考案に係わるキャップは，図２に示すようにキャップの途中に螺旋状の切れ目を入れる事によって，キャップを回す事で切れ目が切れ螺旋部分が紐状になり上部と下部が繋がる。
【図面の簡単な説明】
【０００７】
【図１】  従来のキャップの図面である。
【図２】  本考案の係わるキャップの図面である。
【符号の説明】
【０００８】  １．直線状の切れ目
２．螺旋状の切れ目
３．螺旋状の切れ目が切れ紐
【図１】
0003177178.tif 000003
【図２】
0003177178.tif 000004
【手続補正書】
【提出日】平成24年5月6日(2012.5.6)
【手続補正１】
【補正対象書類名】実用新案登録請求の範囲
【補正対象項目名】全文
【補正方法】変更
【補正の内容】
【実用新案登録請求の範囲】
【請求項１】
ボトルキャップの途中に螺旋状に切れ目を入れることで，キャップを開ける際に切れ目が切れ，螺旋部分が紐状になり上部と下部が繋がった特徴とするキャップ。
(57)【要約】      （修正有）【課題】沢山の収納ポケットを有し、コンパクトに折りたため、いつでも持ち歩く事が出来、透けない生地でできたマントを提供する。【解決手段】透けない生地３でマントを作り、沢山の収納ポケット４を設ける。首廻りに相当する箇所にはゴムを配し、着脱を容易にする。マントは、比較的軽量素材を用い、コンパクトに折りたため、いつでも持ち歩き出来る様にし、防災グッズとしても使用できる様にする。【選択図】図１
0003177194.tif 000002
【実用新案登録請求の範囲】
【請求項１】
透けない生地でマントを作り内側に沢山の収納ポケットを付る事で防災トイレグッズにもなり着替えとしても使用出来、いつでも折りたため持ち歩く事が出来るグッズです
【考案の詳細な説明】
【技術分野】
【０００１】本考案は着用マントに沢山収納ポケットを付けた防災グッズである
【背景技術】
【０００２】悪天候、交通渋滞の時はトイレを我慢又、アウトドア・登山の時はヘビなどが出そうな所で用を足し、帰宅困難者はトイレを貸して頂ける所をさがす
【考案の概要】
【考案が解決しようとする課題】
【０００３】・避難所などのトイレ不足
・観光バスガイドの方がやぶの中で用を足している時ヘビが体の中に入って来たと言うニュース  旅行・登山の方大変。
【課題を解決するための手段】
【０００４】本考案は透けない生地でマントを作り沢山収納ポケットを付けそのポケットに携帯トイレ・ウエットテイッシュ・生理用品など入れ又、下着を入れておくと着替えとしても使用出来、コンパクトに折りたため  いつでも持ち歩く事が出来  前述の欠点を解決しております
【考案の効果】
【０００５】上述の様に透けないマントを着用する事によって近くの場所など他人の目を気にせず用が足せ又、色々な物（ウエットテイッシュ・生理用品・携帯トイレなど）収納ポケットに入れておきますので用を足した後清潔で気持が良い。それだけでなく下着を入れておくと着替えとしても使う事が出来ます。
【図面の簡単な説明】
【０００６】
【図１】本考案の透ない生地で作ったマントに沢山の収納ポケットを付けた図である。
【図２】本考案の一部切欠断面
【図３】透けな生地で作った着用地のマントの図
【符号の説明】
【０００７】１  伸びるのでゴムを使用（スカート用に）
２  プリーツに致しますと伸びますので楽に使える
３  透けない生地で作る事に依りどこでも使える
４  沢山の収納ポケットを付ける事に依り防災トイレグッズにもなり、着替えとしても使える
【図１】
0003177194.tif 000003
【図２】
0003177194.tif 000004
【図３】
0003177194.tif 000005
(57)【要約】      （修正有）【課題】老眼鏡を持たずして、ピンホール効果（小さな穴から覗くことで、レンズがなくても細かいものが良く見えるという効果）を利用し細かい字が読み取れる簡易ペンを提供する。【解決手段】ボールペンなどのペン先を出し入れする為のノック部、又は頭部に円柱を取り付けて、横穴を開けるノックタイプの物は、横穴をあけるだけなので、従来の機能はまったく損なわれない。穴の内径は、老眼の度合いに個人差があるので1ｍｍで固定しないで、その前後0.1で選んでもらう。【選択図】図1
0003177195.tif 000002
【実用新案登録請求の範囲】
【請求項１】
ペンに穴をあけ、老眼鏡を持たずして、ピンホール効果（小さな穴から覗くことで、レンズがなくても細かいものが良く見えるという効果）を利用し細かい字が読み取れる簡易ペン。
【考案の詳細な説明】
【技術分野】
【０００１】
本考案は老眼鏡を持たずして、ピンホール効果（小さな穴から覗くことで、レンズがなくても細かいものが良く見えるという効果）を利用し細かい字が読み取れるペンに関するものである。
ボールペンなどのペン先を出し入れする為のノック部に穴をあけるだけ、又は頭部に円柱を取り付け穴を開けるだけの簡単な物である。
ノックタイプの物は、横穴をあけるだけなので、従来の機能はまったく損なわれない。
穴の内径は、老眼の度合いに個人差があるので1ｍｍで固定しないで、その前後0.1で選んでもらう。
【背景技術】
【０００２】
ボールペンのノック部に横穴1ｍｍΦ前後の円形の穴を開ける。（図面1に示す）
【０００３】
多彩色のボールペンはノックがでっぱっていない為、頭部に円柱を取り付け内径1ｍｍ前後の円形の穴を開ける。（図面2に示す）
【０００４】
キャップ式のペン又はボールペンはキャップの頭部に円柱を取り付け内径1ｍｍ前後の円形の穴を開ける（図面3に示す）
【図面の簡単な説明】
【０００５】
【図１】図１はノック式ペンの改良後の図面である。
【図２】図２は多彩色式ペンの改良後の図面である。
【図３】図３はキャップ式ペンの改良後の図面である。
【図１】
0003177195.tif 000003
【図２】
0003177195.tif 000004
【図３】
0003177195.tif 000005
(57)【要約】      （修正有）【課題】主として左利き者の電話機ハンドセット右上げ右降ろしが可能となり、ハンドセットと電話機間の螺旋コードのキンク（ｋｉｎｋ）状態が生じにくい電話機を提供する。【解決手段】電話機１に向かって、番号入力部分４よりも右側に送受話器２を設置できるように架台部分を設け、モジュラーの接続端子３も電話機本体の右側に設置して、右ハンドセットの電話機を構成する。【選択図】図１
0003177200.tif 000002
【実用新案登録請求の範囲】
【請求項１】
電話機に向かって番号入力部分よりも右側に送受話器を設置できるように架台部分を設け、モジュラーの接続端子も電話機本体の右側に設置することを特徴とする電話機。
【考案の詳細な説明】
【技術分野】
【０００１】  本考案は、主に事業用タイプのビジネスホンの右ハンドセット固定電話機の考案である。主に左利きの方用に適した形状となる。
【背景技術】
【０００２】  電話機に関する特許、実用新案登録及び意匠登録は特開２００６−１７４３４７をはじめとして、数多くの出願及び登録が存在する。しかし、従来は左ハンドセット固定電話機しか市場で製造販売されておらず左利きの方または右耳で電話を送話するには不向きな形状であった。そのため使用頻度に応じてハンドセットと電話機間の螺旋コードのキンク（ｋｉｎｋ）が生じる現象が起き故障の原因にもなっていた。これは、通常左手で受話器を持ち、左耳にて受信し、右手でメモをとるために有利な配置である。
【先行技術文献】
【０００３】
【特許文献１】  特開２００６−１７４３４７
【考案の概要】
【考案が解決しようとする課題】
【０００４】  本考案は、以上のような従来の欠点に鑑み、主として左利き者の電話機ハンドセット右上げ右降ろしが可能となり、キンク（ｋｉｎｋ）状態が生じにくい電話機を提供する。
【課題を解決するための手段】
【０００５】  上記目的を達成するために、本考案は、電話機に向かって、番号入力部分よりも右側に送受話器を設置できるように架台部分を設け、モジュラーの接続端子も電話機本体の右側に設置した、右ハンドセットの電話機を提案するものである。
【考案の効果】
【０００６】  以上の説明から明らかなように、本考案にあっては従来、左ハンド固定電話機しか市場で製造販売されておらず左利きの人または右耳で電話を送話するには不向きな形状である。そのため使用頻度に応じてハンドセットと電話機間の螺旋コードのキンク（ｋｉｎｋ）現象が起き故障の原因となっていたものを改善できる。
【図面の簡単な説明】
【０００７】
【図１】本考案を実施するための実施形態を示す電話機情報の表面図である。
【考案を実施するための形態】
【０００８】  以下、本考案の実施の形態を図に基づいて説明する。
【実施例１】
【０００９】  図１は、本考案の実施例１の電話機の正面情報の例である。
電話機に向かって右側に送受話機の設置架台が設けられており、モジュラー端子の接続部位が、電話機本体の右側に設置されている。
【産業上の利用可能性】
【００１０】  本考案の右ハンドセット電話機は電話機製造メーカーによってのデザイン変更で簡易に現実化し製造販売することができる。
【符号の説明】
【００１１】１電話機本体
２送受話器
３モジュラー端子接続部位
４番号入力部位
５ディスプレー
【図１】
0003177200.tif 000003
(57)【要約】      （修正有）【課題】寝ていてテレビを見るとき、テレビの画面を見やすくするため、テレビを垂直方向に回転できるテレビスタンドを提供する。【解決手段】テレビの背面中央部にボルトを固定し、テレビスタンド上部の穴に通して蝶ネジで止める。また、回転させるときは蝶ネジをゆるめる。【選択図】図２
0003177160.tif 000002
【実用新案登録請求の範囲】
【請求項１】
テレビの背面中央部にテレビの回転軸を設け、テレビスタンドに取り付ける。
【考案の詳細な説明】
【技術の分野】
【０００１】  本考案は、寝ていて見やすい小型テレビのスタンドである。
【背景技術】
【０００２】  病院や家庭で寝ていて小型テレビを見ると画像が見えにくいし、文字も読みにくい。
【考案の概要】
【考案が解決しようとする課題】
【０００３】  従来のテレビスタンドは水平方向に回転させたり、仰角を変えることはできるが垂直方向に回転させることはできないので、これを解決しようとするものである。
【課題を解決するための手段】
【０００４】  本考案は、テレビの背面中央部に回転軸を設けテレビスタンドに取り付け、テレビを枕元の左側に置くときはテレビを９０度左回転できるようにし、右側に置くときは９０度右回転できるようにして課題を解決している。
【考案の効果】
【０００５】  本考案のテレビスタンドを使ったテレビを寝ている枕元に置いて見ると、画面が横長になっているので、起きていて見るのと同じように見え文字も読みやすい。
【図面の簡単な説明】
【０００６】
【図１】本考案のテレビスタンドの回転部正面図である。
【図２】テレビスタンドの回転部の側面図である。
【考案を実施するための形態】
【０００７】  テレビ本体の背面中央部にボルトを固定し、そのネジ部をテレビスタンドの上部の穴に挿入して蝶ネジでテレビ本体とテレビスタンドを接続する。
その時テレビスタンドの穴部はボルトより少し大きめにしてテレビの回転が自在になるようにする。また、テレビの背面にストッパーを取り付けテレビが左右に９０度だけ回転して止まるようにスタンド上部の幅を広くする。
【実施例】
【０００８】  テレビを通常、起きて見るときはテレビを水平にして蝶ネジをしめて回転を止める。テレビを枕元の左側に置くときは蝶ネジをゆるめて９０度左回転し蝶ネジを締めて固定する。また、テレビを枕元の右側に置くときは９０度右回転させて蝶ネジをしめて固定する。
【符号の説明】
【０００９】１  テレビ本体の背面
２  テレビスタンド上部
３  ボルト
４  蝶ネジ
５  ストッパー
６  ストッパー止め
【図１】
0003177160.tif 000003
【図２】
0003177160.tif 000004
【手続補正書】
【提出日】平成24年2月16日(2012.2.16)
【手続補正１】
【補正対象書類名】実用新案登録請求の範囲
【補正対象項目名】全文
【補正方法】変更
【補正の内容】
【実用新案登録請求の範囲】
【請求項１】
テレビの背面中央部にボルトを固定し、それを回転軸として取り付けたテレビスタンド。
【手続補正書】
【提出日】平成24年5月7日(2012.5.7)
【手続補正１】
【補正対象書類名】実用新案登録請求の範囲
【補正対象項目名】全文
【補正方法】変更
【補正の内容】
【実用新案登録請求の範囲】
【請求項１】
テレビの背面中央部にボルトを固定し、そのボルトをテレビスタンド上部の穴に挿入してテレビとテレビスタンドを接続し、テレビの回転が自在になるようにしたテレビスタンド。